(57)【要約】【課題】楽曲データの内容を確認しながら所望の楽曲データを選択してタグ情報の編集作業の手間を軽減すること。【解決手段】タグ情報が付加された楽曲データを複数記憶する記憶部１１と、楽曲データを再生するＤＳＰ１９と、再生されている楽曲データを選択する選択指示を入力し、また、楽曲データに付加されているタグ情報を編集する編集情報を入力する操作部１３と、記憶部１１に記憶されている各楽曲データを一部分だけ再生させ、当該再生中に選択指示が入力された又は選択指示が入力されていない楽曲データのいずれか一方に該当する楽曲データに対して、入力された編集情報にタグ情報を編集する制御部１０と、を備えるオーディオ装置１。【選択図】図２
2009259339.tif 000002
【特許請求の範囲】
【請求項１】
タグ情報が付加された楽曲データを複数記憶する記憶手段と、
前記楽曲データを再生する再生手段と、
前記再生手段により再生されている楽曲データを選択する選択指示を入力する選択手段と、
前記楽曲データに付加されているタグ情報を編集する編集情報を入力する編集情報入力手段と、
前記記憶手段に記憶されている各楽曲データを前記再生手段に一部分だけ再生させ、
当該再生中に前記選択手段により選択指示が入力された又は選択指示が入力されていない楽曲データのいずれか一方に該当する楽曲データに対して、前記編集情報入力手段により入力された編集情報にタグ情報を編集する制御手段と、
を備えるオーディオ装置。
【請求項２】
前記編集情報入力手段は、前記複数の選択肢から選択された選択肢を前記編集情報として入力する、
請求項１に記載のオーディオ装置。
【請求項３】
文字情報を入力する文字情報入力手段を備え、
前記編集情報入力手段は、前記文字情報入力手段により入力された前記文字情報を前記編集情報として入力する、
請求項１に記載のオーディオ装置。
【請求項４】
前記再生手段により再生される前記楽曲データの指定を入力する再生楽曲選択手段を備え、
前記制御手段は、前記再生楽曲選択手段により指定された楽曲データを前記再生手段に一部分ずつ再生させる、
請求項１から３のいずれか一項に記載のオーディオ装置。
【請求項５】
タグ情報が付加された楽曲データを複数記憶する記憶手段に記憶されている当該楽曲データを一部分だけ再生手段により再生する工程と、
楽曲データに付加されているタグ情報を編集する編集情報を入力する工程と、
前記再生手段による楽曲データの再生中に選択手段により選択指示が入力された又は選択指示が入力されていない楽曲データのいずれか一方に該当する楽曲データに対して、前記編集情報にタグ情報を編集する工程と、
を含むオーディオ装置におけるタグ情報編集方法。
【請求項６】
コンピュータを、
タグ情報が付加された楽曲データを複数記憶する記憶手段、
前記楽曲データを再生する再生手段、
前記再生手段により再生されている楽曲データを選択する選択指示を入力する選択手段、
前記楽曲データに付加されているタグ情報を編集する編集情報を入力する編集情報入力手段、
前記記憶手段に記憶されている各楽曲データを前記再生手段に一部分だけ再生させ、
当該再生中に前記選択手段により選択指示が入力された又は選択指示が入力されていない楽曲データのいずれか一方に該当する楽曲データに対して、前記編集情報入力手段により入力された編集情報にタグ情報を編集する制御手段、
として機能させるためのプログラム。
【発明の詳細な説明】
【技術分野】
【０００１】
本発明は、オーディオ装置、タグ情報編集方法及びプログラムに関する。
【背景技術】
【０００２】
近年、複数の楽曲データを記憶する記憶部（メモリ）を備え、当該記録部に記憶されている楽曲データを再生するオーディオ装置がある。
この楽曲データに関する複数の詳細情報（例えば、タイトル・アーティスト名・アルバム名・時間・ジャンル・コメント・トラックナンバー等）を含む楽曲情報は、予め付加されていたり、ＣＤＤＢ（CD DataBase）（登録商標）等のデータベースを利用して楽曲データに付加されるタグ情報として取得したりすることができる。
【０００３】
しかし、ＣＤＤＢ等によりタグ情報を付加しても、タグ情報の整合性がとれない場合がある。例えば、アーティスト名の表記が、頭文字のみ大文字で残りを小文字とする表記に対して、全文字を大文字を用いて表記する場合などが混在することにより、タグ情報を用いた検索では同一アーティストとして扱われないことがある。
【０００４】
さらに、ユーザの所望により、定義されているジャンル情報とは異なるジャンルに定義したい場合も考えられる。そのため、ユーザは楽曲データ毎にタグ情報を個別的に編集する煩雑な作業を行なう必要があった。
【０００５】
そこで、ユーザによる楽曲情報（タグ情報）の付加作業を容易化するために、単一の音楽ＣＤに記録されている全ての楽曲データのタグ情報に共通する値の指定を受け付け、当該音楽ＣＤから読み出された楽曲データのタグ情報に指定された値を設定するオーディオ再生装置が開示されている（特許文献１参照）。
【特許文献１】特開２００４−２４６９３７号公報
【発明の開示】
【発明が解決しようとする課題】
【０００６】
しかしながら、上述した技術は、編集すべき楽曲データを確実に選び出すためには、ユーザが記憶部に記憶されている楽曲データを一つずつ実際に再生して視聴して判別する必要があり、楽曲データ毎に再生操作、試聴、停止操作、編集操作等を繰り返さなくてはならず、ユーザによって煩雑な作業である。
【０００７】
本発明の課題は、楽曲データの内容を確認しながら所望の楽曲データを選択してタグ情報の編集作業の手間を軽減することである。
【課題を解決するための手段】
【０００８】
請求項１に記載の発明は、タグ情報が付加された楽曲データを複数記憶する記憶手段と、前記楽曲データを再生する再生手段と、前記再生手段により再生されている楽曲データを選択する選択指示を入力する選択手段と、前記楽曲データに付加されているタグ情報を編集する編集情報を入力する編集情報入力手段と、前記記憶手段に記憶されている各楽曲データを前記再生手段に一部分だけ再生させ、当該再生中に前記選択手段により選択指示が入力された又は選択指示が入力されていない楽曲データのいずれか一方に該当する楽曲データに対して、前記編集情報入力手段により入力された編集情報にタグ情報を編集する制御手段と、を備えるオーディオ装置であること、を特徴としている。
【０００９】
請求項２に記載の発明は、請求項１に記載のオーディオ装置において、前記編集情報入力手段は、前記複数の選択肢から選択された選択肢を前記編集情報として入力する、ことを特徴としている。
【００１０】
請求項３に記載の発明は、請求項１に記載のオーディオ装置において、文字情報を入力する文字情報入力手段を備え、前記編集情報入力手段は、前記文字情報入力手段により入力された前記文字情報を前記編集情報として入力する、ことを特徴としている。
【００１１】
請求項４に記載の発明は、請求項１から３のいずれか一項に記載のオーディオ装置において、前記再生手段により再生される前記楽曲データの指定を入力する再生楽曲選択手段を備え、前記制御手段は、前記再生楽曲選択手段により指定された楽曲データを前記再生手段に一部分ずつ再生させる、ことを特徴としている。
【００１２】
請求項５に記載の発明は、タグ情報が付加された楽曲データを複数記憶する記憶手段に記憶されている当該楽曲データを一部分だけ再生手段により再生する工程と、楽曲データに付加されているタグ情報を編集する編集情報を入力する工程と、前記再生手段による楽曲データの再生中に選択手段により選択指示が入力された又は選択指示が入力されていない楽曲データのいずれか一方に該当する楽曲データに対して、前記編集情報にタグ情報を編集する工程と、を含むオーディオ装置におけるタグ情報編集方法であること、特徴としている。
【００１３】
請求項６に記載の発明は、コンピュータを、タグ情報が付加された楽曲データを複数記憶する記憶手段、前記楽曲データを再生する再生手段、前記再生手段により再生されている楽曲データを選択する選択指示を入力する選択手段、前記楽曲データに付加されているタグ情報を編集する編集情報を入力する編集情報入力手段、前記記憶手段に記憶されている各楽曲データを前記再生手段に一部分だけ再生させ、当該再生中に前記選択手段により選択指示が入力された又は選択指示が入力されていない楽曲データのいずれか一方に該当する楽曲データに対して、前記編集情報入力手段により入力された編集情報にタグ情報を編集する制御手段、として機能させるためのプログラムであること、を特徴としている。
【発明の効果】
【００１４】
本発明によれば、楽曲データの内容を確認しながら所望の楽曲データを選択してタグ情報の編集作業の手間を軽減することができる。
【発明を実施するための最良の形態】
【００１５】
以下、図を参照して本発明の実施の形態を詳細に説明する。
まず、構成を説明する。
図１に、本実施の形態におけるオーディオ装置１のブロック構成図を示す。
【００１６】
図１に示すように、オーディオ装置１は、制御部１０、記憶部１１、表示部１２、操作部１３、ＡＵＸ（Auxiliary）端子１４、チューナー部１５、ＣＤ（Compact Disk）メカ部１６、セレクタ１７、ＡＤＣ１８、ＤＳＰ（Digital Signal Processor）１９、ＤＡＣ（Digital Analog Converter）２０、増幅部２１、出力部２２等を備えて構成されている。
【００１７】
制御部１０は、ＣＰＵ（Central Processing Unit）、ＲＯＭ（Read Only Memory）１０ａ及びＲＡＭ（Random Access Memory）１０ｂを備え、ＲＯＭ１０ａ等から各種処理プログラムや各種データを読み出してＲＡＭ１０ｂに展開し、当該プログラムとの協働によりオーディオ装置１内の各部を集中的に制御し、また各種演算を行う。
【００１８】
また、本実施の形態における制御部１０は、操作部１３により指定された記憶部１１に記憶されている各楽曲データをＤＳＰ１９により一部分だけ再生（イントロ再生処理）させ、当該再生中の楽曲データに対して選択指示（マーク付け操作）の操作信号が入力された場合、当該マーク付け操作がなされたことを示す処理マーク（例えば、フラグ等）を当該楽曲データに付与し、処理マークが付与された楽曲データ又は処理マークが付与されていない楽曲データのいずれか一方に該当する楽曲データに対して、操作部１３により入力された編集情報にタグ情報を編集（書き換え、修正又は追加）するタグ情報編集処理を実行する制御手段として機能する。
【００１９】
なお、本実施の形態においては、操作指示（マーク付け操作）をタグ情報編集処理対象の楽曲データを示す指示とし、処理マークが付与された楽曲データのタグ情報を編集する処理として説明するが、操作指示をタグ情報編集処理対象から除外する楽曲データを示す指示とする場合には、処理マークが付与されていない楽曲データのタグ情報を編集する。
【００２０】
記憶部１１は、ＨＤＤ（Hard Disk Drive）等の大容量の不揮発メモリや、外部メモリ（メモリカード、ＵＳＢメモリ、外付けＨＤＤ等）であり、オーディオ装置１が再生可能なタグ情報付きの楽曲データを、ＭＰ３（MPEG-1 Audio Layer-3）やＷＭＡ（Windows Media(登録商標) Audio）などの圧縮ファイル等の形式で記憶する記憶手段として機能する。
【００２１】
タグ情報には、楽曲情報が含まれる。
この楽曲情報には、楽曲データに関する複数の詳細情報を含む。この詳細情報としては、例えば、アルバム名、アルバム名の読み仮名、アーティスト名、アーティスト名の読み仮名、ジャンル、ディスクナンバー、トラック名、トラック名の読み仮名、トラックナンバー等がある。
【００２２】
表示部１２は、制御部１０からの表示信号に応じて、オーディオ装置１の動作モード情報、プレイリスト情報、楽曲データの楽曲情報等の各種情報を表示する。
【００２３】
操作部１３は、各種操作キーを備え、オーディオ装置１のユーザによる操作キーの操作に応じた操作信号を制御部１０へ出力する。
操作部１３は、特に、ＤＳＰ１９によりイントロ再生処理の実行対象となる楽曲データの指定として、イントロ再生処理される楽曲データの指定の操作信号を入力する再生楽曲選択手段と、ＤＳＰ１９によりイントロ再生処理されている楽曲データを選択するマーク付け操作の操作信号を入力する選択手段、としての機能を実現する。
【００２４】
また、操作部１３は、文字情報を入力する文字情報入力手段として機能すると共に、表示部１２との協働により、楽曲データに付加されているタグ情報を編集する編集情報を入力する編集情報入力手段として機能する。編集情報としては、複数の選択肢から選択された選択肢であったり、入力された文字情報であったりする。
【００２５】
ＡＵＸ端子１４は、図示しない外部機器を接続する入力端子であり、接続された外部機器からの音声信号をセレクタに入力する。
【００２６】
チューナー部１５は、図示しないアンテナ等を介して受信したラジオ等のキャリア放送電波を選択し、選択したキャリア放送電波を音声信号としてセレクタに入力する回路である。
【００２７】
ＣＤメカ部１６は、ＣＤドライブ等の装置であり、ＣＤに記録された楽曲データを読み取り、セレクタ１７又はＤＳＰ１９へ出力する。
【００２８】
セレクタ１７は、オーディオ装置１が再生等する楽曲データの種類（ソース）の選択を行う回路である。制御部１０から入力された制御信号に応じてソースの選択が切り替えられる。
【００２９】
ＡＤＣ１８は、入力されたアナログ信号をデジタル信号に変換して出力するＡ／Ｄ変換回路である。
【００３０】
ＤＳＰ１９は、デジタル信号処理用のマイクロプロセッサであり、エンコーダ１９ａ及びデコーダ１９ｂを備える。エンコーダ１９ａは、ＣＤメカ部１６又はＡＤＣ１８から入力された楽曲データをエンコードしてＭＰ３方式やＷＭＡの圧縮ファイルを記憶部１１に出力する。デコーダ１９ｂは、記憶部１１からの圧縮ファイルをデコードして再生処理を行い、楽曲データをＤＡＣ２０に出力する。
【００３１】
ＤＡＣ２０は、ＤＳＰ１９から入力される楽曲データをアナログ信号に変換して出力するＤ／Ａ変換回路である。
【００３２】
増幅部２１は、ＤＡＣ２０から入力されるアナログ信号を増幅して出力部２２に出力する回路である。
【００３３】
出力部２２は、スピーカやヘッドホン、外部出力端子等、増幅部２１から入力されるアナログ信号を外部に出力する装置である。
【００３４】
次に、本実施の形態の動作を説明する。
図２に、本実施の形態におけるタグ情報編集処理のフローチャートを示す。
【００３５】
制御部１０は、操作部１３からイントロ再生処理の実行により再生される楽曲データの指定の操作指示、例えば、楽曲データのジャンル名、アーティスト名、フォルダ名等を指定する操作指示が入力されると、当該操作指示に従って、イントロ再生処理対象となる楽曲データをＤＳＰ１９により記憶部１１から読み出させ、イントロ再生処理の実行を開始させる（ステップＳ１）。
【００３６】
ステップＳ１において実行されるイントロ再生処理とは、指定された各楽曲データの一部分を順次再生させる処理であり、例えば各楽曲データの開始から予め設定された時間（イントロ再生時間）が経過するまで再生させたり、楽曲データの開始から所定の時間が経過した時点から予め設定された時間（イントロ再生時間）を再生させたりする処理である。
【００３７】
制御部１０は、再生中の楽曲データに対して操作部１３からマーク付け操作の操作信号が入力されたか否かを判別する（ステップＳ２）。このマーク付け操作は、ユーザがイントロ再生処理により再生中の楽曲データを聴きながら操作部１３を操作して、タグ情報を編集すべき楽曲データに印を付ける操作である。
【００３８】
制御部１０は、マーク付け操作の操作信号の入力がない場合（ステップＳ２；Ｎｏ）、再生中の楽曲データのイントロ再生時間が経過したか否かを判別し（ステップＳ３）、イントロ再生時間が経過していない場合（ステップＳ３；Ｎｏ）、ステップＳ２に戻る。
【００３９】
制御部１０は、再生中の楽曲データに対して操作部１３からマーク付け操作の操作信号が入力された場合（ステップＳ２；Ｙｅｓ）、楽曲データのファイルに処理マーク（例えば、フラグ）を付与する（ステップＳ４）。
【００４０】
制御部１０は、指定された全楽曲データのイントロ再生処理が終了したか否かを判別し（ステップＳ５）、指定された全楽曲データのイントロ再生処理が終了していない場合、即ち、未再生の楽曲データがある場合（ステップＳ５；Ｎｏ）、未再生の楽曲データ、即ち、次に指定された楽曲データのイントロ再生処理を開始し（ステップＳ６）ステップＳ２に戻る。
【００４１】
制御部１０は、指定された全楽曲データのイントロ再生処理が終了した場合（ステップＳ５；Ｙｅｓ）、処理マークが付与された楽曲データがあるか否かを判別し（ステップＳ７）、処理マークが付与された楽曲データがない場合（ステップＳ７；Ｎｏ）、本処理を終了する。
【００４２】
制御部１０は、処理マークが付与された楽曲データがある場合（ステップＳ７；Ｙｅｓ）、処理マークが付与された各楽曲データに対して、後述するタグ情報一括処理の実行を開始する（ステップＳ８）。
【００４３】
制御部１０は、処理マークが付与された全楽曲データのタグ情報一括処理が終了したか否かを判別し（ステップＳ９）、処理マークが付与された全楽曲データのタグ情報一括編集処理が終了していない場合、即ち、未処理の処理マークが付与された楽曲データがある場合（ステップＳ９；Ｎｏ）、ステップＳ９に戻る。
【００４４】
制御部１０は、処理マークが付与された全楽曲データのタグ情報一括処理が終了した場合（ステップＳ９；Ｙｅｓ）、本処理を終了する。
【００４５】
図３〜５に、タグ情報編集処理が実行される際に表示部１２に表示される画面例を示し、タグ情報編集処理を具体的に説明する。
【００４６】
図３に示す画面例は、タグ情報として含まれる楽曲情報のジャンル名を他の複数のジャンル名から選択されたジャンル名に編集する場合の例である。
まず、メインメニュー画面Ｇ１において、再生される楽曲データのジャンル指定の操作指示が操作部１３により入力される。
【００４７】
ジャンル指定の操作指示が入力されると、ジャンル画面Ｇ２ａが表示される。
当該ジャンル画面Ｇ２ａには、複数のジャンル名が選択可能に一覧表示されており、当該複数のジャンル名のうちいずれかのジャンル名（例えば「Ｒｏｃｋ」）指定の操作信号が操作部１３により入力される。
【００４８】
ジャンル名指定の操作指示が入力されると、アーティスト画面Ｇ３が表示される。
アーティスト画面Ｇ３は、指定されたジャンル名の楽曲情報のタグ情報が付加されたアーティスト名が選択可能に一覧表示されており、当該複数のアーティスト名のうちいずれかのアーティスト名（例えば「ＡＡＡ」）指定の操作信号が操作部１３により入力される。
【００４９】
アーティスト名指定の操作信号が入力されると、再生モード画面Ｇ４が表示される。
再生モード画面Ｇ４は、指定されたジャンル名及びアーティスト名の楽曲データの再生モードが選択可能に一覧表示されており、当該複数の再生モードのうちいずれかの再生モード（本処理では、イントロ再生）指定の操作信号が操作部１３により入力され、指定された楽曲データ（ここでは、ジャンル「Ｒｏｃｋ」のアーティスト「ＡＡＡ」の楽曲データ）のイントロ再生処理の実行が開始される。即ち、メインメニュー画面Ｇ１から再生モード画面Ｇ４までの処理がステップＳ１に相当する。
また、楽曲データの再生モード選択画面による再生モード選択は、メインメニュー画面Ｇ１により再生される楽曲を指定する以前に行ってもよい。
【００５０】
イントロ再生処理が開始されると、イントロ再生画面Ｇ５が楽曲データ毎に表示される。イントロ再生画面Ｇ５は、イントロ再生されている楽曲データのタグ情報（例えば、アルバム名、トラック名、アーティスト名等）が表示される表示エリアＥ１と、イントロ再生モードを示すイントロマークＭ１が表示されていると共に、処理マークＭ２が表示可能となっている。処理マークＭ２は、操作部１３からのマーク付け操作の操作信号に応じて表示されるものであり、当該処理マークＭ２が表示される楽曲データのファイルに当該処理マークを示すフラグが付与される。即ち、イントロ再生画面Ｇ５は、ステップＳ２〜Ｓ６の実行中に表示される画面である。
【００５１】
指定された全楽曲データのイントロ再生処理が終了すると、メインメニュー画面Ｇ１が再度表示され、ユーザにより設定画面Ｇ６を表示させる操作指示が操作部１３により入力され、設定画面Ｇ６が表示される。設定画面Ｇ６は、楽曲データに対して設定可能な項目が一覧表示される画面であり、処理マークが付与された楽曲データがある場合には、タグ情報編集項目が表示され、ステップＳ８におけるタグ情報一括処理の実行が開始される。
【００５２】
タグ情報一括処理は、まず、設定画面Ｇ６のタグ情報編集項目を指定する操作信号が操作部１３により入力されると、タグ情報編集画面Ｇ７ａが表示される。タグ情報編集画面Ｇ７ａは、処理マークが付与された楽曲データのタグ情報において、編集可能な項目が一覧表示されており、当該一覧表示された項目（編集対象候補項目）のうちいずれかの項目（例えば、ジャンル）指定の操作信号が操作部１３により入力される。
【００５３】
項目指定の操作指示が入力されると、タグ情報編集画面Ｇ７ｂが表示される。
このタグ情報編集画面Ｇ７ｂは、指定された項目（編集対象項目、例えば、ジャンル）の編集情報として複数の選択肢から選択する指示を示す一覧選択ボタンＢ１ａ、編集情報として文字情報を入力する指示を示す入力ボタンＢ１ｂのいずれか一方の選択指示の入力を受け付ける画面である。
【００５４】
一覧選択ボタンＢ１ａが選択されるとタグ情報編集画面Ｇ７ｃが表示される。
タグ情報編集画面Ｇ７ｃは、編集対象項目（例えば、ジャンル）の編集情報として複数の選択肢（例えば「Ｊａｚｚ」、「Ｌａｔｉｎ」、「Ｐｏｐｓ」、「Ｒｏｃｋ」等）が一覧表示されており、当該複数の選択肢のうちいずれかの選択肢（例えば「Ｊａｚｚ」）指定の操作信号が操作部１３により入力される。
【００５５】
選択肢指定の操作信号が入力されると、タグ情報編集画面Ｇ７ｄが表示される。
タグ情報編集画面Ｇ７ｄは、タグ情報編集画面Ｇ７ｃにおいて選択された選択肢を編集情報としてタグ情報の編集を実行するＹｅｓボタンＢ１ｃと編集を実行しないＮｏボタンＢ１ｄのいずれか一方の選択指示の入力を受け付ける画面である。
【００５６】
タグ情報編集画面Ｇ７ｄのＹｅｓボタンＢ１ｃの選択指示の操作信号が入力されると、処理マークが付与された全楽曲データのタグ情報の編集対象項目がタグ情報編集画面Ｇ７ｃにより選択された選択肢が編集情報として編集される。処理マークが付与された全楽曲データの一括処理が終了すると、メインメニュー画面Ｇ１が表示される。
【００５７】
図３に示す画面例は、例えば、ユーザがジャンル「Ｒｏｃｋ」のアーティスト「ＡＡＡ」の楽曲データを再生させて視聴していた場合、アーティスト「ＡＡＡ」の楽曲データのうち一部の楽曲データを、ユーザの独自の分類として「Ｒｏｃｋ」ではなく「Ｊａｚｚ」のジャンルとして分類したい場合がある。
そこで、ユーザはオーディオ装置１に対して、ジャンル「Ｒｏｃｋ」のアーティスト「ＡＡＡ」の楽曲データをイントロ再生させ、ジャンルを変更したい楽曲データにマーク付与操作を行い、処理マークを付与した楽曲データのジャンル「Ｒｏｃｋ」から複数のジャンルのうち選択した「Ｊａｚｚ」に編集する操作をタグ情報編集画面Ｇ７ｃにおいて入力する。オーディオ装置１は、処理マークが付与された楽曲データのジャンル名を「Ｒｏｃｋ」から「Ｊａｚｚ」に一括編集する。
以上のことから、ユーザは楽曲データを聴きながら所望する楽曲データのジャンルを一括編集することができる。
【００５８】
図４に示す画面例は、タグ情報として含まれる楽曲情報のアーティスト名をユーザが入力した文字情報が示すアーティスト名に編集する場合の例である。
まず、メインメニュー画面Ｇ１において、再生される楽曲データのフォルダ指定の操作指示が操作部１３により入力される。
【００５９】
フォルダ指定の操作指示が入力されると、フォルダ画面Ｇ２ｂが表示される。
フォルダ画面Ｇ２ｂには、複数のフォルダ名が選択可能に一覧表示されており、当該複数のフォルダ名のうちいずれかのフォルダ名（例えば「ＡＡＡ」）指定の操作信号が操作部１３により入力される。
ここでのフォルダ名は、アーティスト名に該当し、フォルダ名「ＡＡＡ」に対応するアーティスト名「ＡＡＡ」の楽曲が記憶されている。
【００６０】
フォルダ名指定の操作信号が入力されると、再生モード画面Ｇ４が表示され、イントロ再生モードの指定の操作信号が操作部１３により入力され、指定された楽曲データ（ここでは、フォルダ「ＡＡＡ」の楽曲データ）のイントロ再生処理の実行が開始される。即ち、メインメニュー画面Ｇ１から再生モード画面Ｇ４までの処理がステップＳ１に相当する。
【００６１】
なお、イントロ再生処理が開始される際に表示されるイントロ再生画面Ｇ５、イントロ再生処理が終了した際に表示されるメインメニュー画面Ｇ１及び設定画面Ｇ６、タグ情報一括処理が開始される際に表示されるタグ情報編集画面Ｇ８ａは、図３に示すイントロ再生画面Ｇ５、メインメニュー画面Ｇ１及び設定画面Ｇ６、タグ情報編集画面Ｇ７ａと同様であるため、説明は省略する。
【００６２】
設定画面Ｇ６にタグ情報編集項目が表示され、ステップＳ８におけるタグ情報一括処理の実行が開始される。タグ情報編集画面Ｇ８ａにおいて、編集対象候補項目のうちいずれかの項目（例えば、アーティスト名）指定の操作信号が操作部１３により入力されると、タグ情報編集画面Ｇ８ｂ１が表示される。
【００６３】
このタグ情報編集画面Ｇ８ｂ１は、指定された項目（編集対象項目、例えば、アーティスト名）の編集情報として文字情報の入力を受け付ける入力エリアＥ２を備えた画面である。入力エリアＥ２には、編集対象項目の情報が書き換え可能に表示されており、この入力エリアＥ２に表示されている情報をユーザ任意の文字情報に操作部１３を介して入力され書き換えられる。タグ情報編集画面Ｇ８ｂ２は、入力エリアＥ２の情報がユーザ任意の文字情報に書き換えられた画面である。ここでは、アーティスト名「Ａａａ」が「ＡＡＡ」に書き換えられた例を示している。
【００６４】
編集対象項目の情報の書き換えが行なわれた後、タグ情報編集画面Ｇ８ｃが表示される。タグ情報編集画面Ｇ８ｃは、図３に示すタグ情報編集画面Ｇ７ｄと同様であるため、説明は省略する。
【００６５】
タグ情報編集画面Ｇ８ｃのＹｅｓボタンＢ１ｃの選択指示の操作信号が入力されると、処理マークが付与された全楽曲データのタグ情報の編集対象項目がタグ情報編集画面Ｇ８ｂ２により書き換えられた文字情報を編集情報として編集される。処理マークが付与された全楽曲データの一括処理が終了すると、メインメニュー画面Ｇ１が表示される。
【００６６】
図４に示す画面例は、例えば、同一アーティストであっても、「Ａａａ」や「ＡＡＡ」のように文字形式（大文字、小文字等）の違いにより、同一アーティストとしてみなされず検索できない場合がある。
そこで、ユーザはオーディオ装置１に対して、アーティスト名毎に分類されたフォルダ内の楽曲データをイントロ再生させながら、楽曲データ毎に表示部１２に表示されるイントロ再生画面に表示されるタグ情報を視認して、アーティスト名を変更したい楽曲データにマーク付与操作を行い、処理マークを付与された楽曲データのアーティスト名の小文字の「ａ」を大文字の「Ａ」に書き換えて、「Ａａａ」から「ＡＡＡ」に編集する操作をタグ情報編集画面Ｇ８ｂ１において入力する。オーディオ装置１は、処理マークが付与された楽曲データのアーティスト名を「Ａａａ」から「ＡＡＡ」に一括編集する。
以上のことから、ユーザは楽曲データを聴きながら所望する楽曲データのアーティスト名を一括編集することができる。
【００６７】
図５に示す画面例は、ＣＤＤＢ等のデータベースから取得すべき楽曲情報が付加されておらず予め設定された仮の楽曲情報が付加されているタグ情報において、仮の楽曲情報をユーザが入力した編集情報に編集する場合の例である。
まず、メインメニュー画面Ｇ１において、再生される楽曲データのアーティスト名の操作指示が操作部１３により入力される。
【００６８】
アーティスト名指定の操作指示が入力されると、アーティスト画面Ｇ３が表示される。
アーティスト画面Ｇ３は、アーティスト名が選択可能に一覧表示されている。
仮の楽曲情報が付加されているタグ情報のアーティスト名は、他のアーティスト名と識別するための仮のアーティスト名（例えば「ＡＲＴＩＳＴ０１」）が付加されている。従って、アーティスト画面Ｇ３には、仮のアーティスト名も表示される。
複数のアーティスト名のうち仮のアーティスト名（例えば「ＡＲＴＩＳＴ０１」）指定の操作信号が操作部１３により入力される。
【００６９】
アーティスト名指定の操作信号が入力されると、再生モード画面Ｇ４が表示され、イントロ再生モードの指定の操作信号が操作部１３により入力され、指定された楽曲データ（ここでは、アーティスト名「ＡＲＴＩＳＴ０１」の楽曲データ）のイントロ再生処理の実行が開始される。即ち、メインメニュー画面Ｇ１から再生モード画面Ｇ４までの処理がステップＳ１に相当する。
【００７０】
イントロ再生処理が開始される際に表示されるイントロ再生画面Ｇ５、イントロ再生処理が終了した際に表示されるメインメニュー画面Ｇ１及び設定画面Ｇ６、タグ情報一括処理が開始される際に表示されるタグ情報編集画面Ｇ９ａは、図３に示すイントロ再生画面Ｇ５、メインメニュー画面Ｇ１及び設定画面Ｇ６、タグ情報編集画面Ｇ７ａと同様であるため、説明は省略する。
【００７１】
設定画面Ｇ６にタグ情報編集項目が表示され、ステップＳ８におけるタグ情報一括処理の実行が開始される。タグ情報編集画面Ｇ９ａにおいて、編集対象候補項目のうちいずれかの項目（例えば、アーティスト名）指定の操作信号が操作部１３により入力されると、タグ情報編集画面Ｇ９ｂが表示される。このタグ情報編集画面Ｇ９ｂは、図３に示すタグ情報編集画面Ｇ７ｂと同様であるため、説明は省略する。
【００７２】
タグ情報編集画面Ｇ９ｂにおいて、入力ボタンＢ１ｂの選択指示の操作信号が入力されると、タグ情報編集画面Ｇ９ｃが表示される。このタグ情報編集画面Ｇ９ｃは、図４に示すタグ情報編集画面Ｇ８ｂ１と同様であるため、説明は省略する。
このタグ情報編集画面Ｇ９ｃの入力エリアＥ２に表示されている情報がユーザ任意の文字情報に操作部１３を介して入力され書き換えられる。
【００７３】
編集対象項目の情報の書き換えが行なわれた後、タグ情報編集画面Ｇ９ｄが表示される。タグ情報編集画面Ｇ９ｄは、図３に示すタグ情報編集画面Ｇ７ｄと同様であるため、説明は省略する。
【００７４】
タグ情報編集画面Ｇ９ｄのＹｅｓボタンＢ１ｃの選択指示の操作信号が入力されると、処理マークが付与された全楽曲データのタグ情報の編集対象項目がタグ情報編集画面Ｇ９ｃにより書き換えられた文字情報を編集情報として編集される。処理マークが付与された全楽曲データの一括処理が終了すると、メインメニュー画面Ｇ１が表示される。
【００７５】
図５に示す画面例は、例えば、ＣＤＤＢ等のデータベースから楽曲情報を取得できない楽曲データのファイルは、仮の楽曲情報が付加されたタグ情報が付加されている。
仮の楽曲情報は、例えば、ジャンル名「Ｕｎｋｏｗｎ」、アーティスト名「ＡＲＴＩＳＴ０１」、アルバム名「ＡＬＢＵＭ０１」、トラック名「０１Ｔｒａｃｋ１．ｍｐ３」・・・のように、他の楽曲情報と識別可能な情報が付与されている。
このような場合、アーティスト名やアルバム名等、複数の楽曲データに共通の情報を一括して編集することが作業付加の低減を図ることができる。
そこで、ユーザはオーディオ装置１に対して、仮のアーティスト名毎に分類された楽曲データをイントロ再生させながら、アーティスト名を変更したい楽曲データにマーク付与操作を行い、処理マークを付与された楽曲データのアーティスト名「ＡＲＴＩＳＴ０１」をユーザが所望するアーティスト名「ＢＢＢ」に書き換えて、「ＡＲＴＩＳＴ０１」から「ＢＢＢ」に編集する操作をタグ情報編集画面Ｇ９ｃにおいて入力する。オーディオ装置１は、処理マークが付与された楽曲データのアーティスト名を「ＡＲＴＩＳＴ０１」から「ＢＢＢ」に一括編集する。同様に、仮のアルバム名等も一括編集ができる。
以上のことから、ユーザは楽曲データを聴きながら所望する楽曲データの仮のアーティスト名を一括編集することができる。
【００７６】
以上のように、本実施形態によれば、記憶部に記憶されている各楽曲データを一部分だけ再生させ（イントロ再生処理を実行）、当該イントロ再生中にマーク付け操作がされた楽曲データに対して、操作部１３から入力された編集情報にタグ情報を編集することができるため、楽曲データの内容を確認しながら所望の楽曲データを選択してタグ情報の編集作業の手間を軽減することができる。
【００７７】
なお、本発明は、上記実施形態に限らず、適宜変更可能であるのは勿論である。
例えば、本実施の形態態のオーディオ装置として、ポータブルオーディオ装置、据え置き型のオーディオ装置であっても良く、楽曲データを記憶及び再生可能な携帯電話であってもよい。
【図面の簡単な説明】
【００７８】
【図１】オーディオ装置のブロック構成図である。
【図２】タグ情報編集処理のフローチャートである。
【図３】タグ情報編集処理が実行される際に表示部に表示される画面例を示す図である。
【図４】タグ情報編集処理が実行される際に表示部に表示される画面例を示す図である。
【図５】タグ情報編集処理が実行される際に表示部に表示される画面例を示す図である。
【符号の説明】
【００７９】
１  オーディオ装置
１０  制御部
１０ａ  ＲＯＭ
１０ｂ  ＲＡＭ
１１  記憶部
１２  表示部
１３  操作部
１４  ＡＵＸ端子
１５  チューナー部
１６  ＣＤメカ部
１７  セレクタ
１８  ＡＤＣ
１９  ＤＳＰ
１９ａ  エンコーダ
１９ｂ  デコーダ
２０  ＤＡＣ
２１  増幅部
２２  出力部
Ｂ１ａ  一覧選択ボタン
Ｂ１ｂ  入力ボタン
Ｂ１ｃ  Ｙｅｓボタン
Ｂ１ｄ  Ｎｏボタン
Ｅ１  表示エリア
Ｅ２  入力エリア
Ｇ１  メインメニュー画面
Ｇ２ａ  ジャンル画面
Ｇ２ｂ  フォルダ画面
Ｇ３  アーティスト画面
Ｇ４  再生モード画面
Ｇ５  イントロ再生画面
Ｇ６  設定画面
Ｇ７ａ、Ｇ７ｂ、Ｇ７ｃ、Ｇ７ｄ  タグ情報編集画面
Ｇ８ａ、Ｇ８ｂ１、Ｇ８ｂ２、Ｇ８ｃ  タグ情報編集画面
Ｇ９ａ、Ｇ９ｂ、Ｇ９ｃ、Ｇ９ｄ  タグ情報編集画面
Ｍ１  イントロマーク
Ｍ２  処理マーク
【図１】
2009259339.tif 000003
【図２】
2009259339.tif 000004
【図３】
2009259339.tif 000005
【図４】
2009259339.tif 000006
【図５】
2009259339.tif 000007